(57)【特許請求の範囲】
【請求項１】
内部を吸気路２が貫通するとともに該吸気路が絞り弁Ｔにて開閉されるスロットルボデー１と、前記吸気路２の長手軸芯線Ａ−Ａに対して角度Ｘ度をもって交差して穿設される燃料噴射弁先端支持孔９と、前記燃料噴射弁先端支持孔９内に挿入配置される燃料噴射弁Ｊとを備え、前記燃料噴射弁先端支持孔９の大気側の開口端部９Ａに前記燃料噴射弁先端支持孔９の長手軸芯線Ｂ−Ｂに対して前記角度Ｘ度以上の角度Ｙ度をもって傾斜する円錐支持孔１０を設け、一方、燃料噴射弁Ｊの先端Ｊａに、その外側面が円錐支持孔１０に沿う傾斜面１１Ａを有する円錐シールリング１１を配置し、前記燃料噴射弁Ｊを燃料噴射弁先端支持孔９の長手軸芯線Ｂ−Ｂと平行に配置するとともに吸気路２の長手軸芯線Ａ−Ａに沿って移動させることにより、その先端Ｊａを円錐シールリング１１を介して燃料噴射弁先端支持孔９内に挿入配置したことを特徴とする燃料噴射装置におけるスロットルボデー。
【発明の詳細な説明】
【０００１】
【産業上の利用分野】
本発明は、燃料ポンプによって昇圧された燃料を燃料分配管に供給し、燃料分配管内の昇圧された燃料を、燃料分配管に取着された燃料噴射弁を介して気筒に連なるスロットルボデーに向けて噴射供給する燃料噴射装置に関し、そのうち特にスロットルボデーに対する燃料噴射弁の取付け構造に関する。
【０００２】
【従来の技術】
従来、燃料噴射装置において、吸気管あるいはスロットルボデーに燃料噴射弁を取付ける際、図３に示される如く行なわれる。１は内部を吸気路２が貫通するスロットルボデーであって、吸気路２の長手軸芯線Ａ−Ａは、水平方向に形成される。（基準となる線を水平方向とした。）そして、前記吸気路２は、絞り弁軸３に取着された絞り弁Ｔによって開閉される。４は、燃料噴射弁Ｊの先端Ｊａを挿入支持する燃料噴射弁先端支持孔（以下単に支持孔という）であり、その長手軸芯線Ｂ−Ｂは角度Ｘ度をもって吸気路２の長手軸芯線Ａ−Ａと交差する。又、支持孔４の先端は、吸気路２内に向かって開口し、後端は大気に開口する。そして、支持孔４の大気側の開口端部には大径の円筒支持孔４Ａが形成される。かかる支持孔４と円筒支持孔４Ａは共に円筒形状をなし長手軸芯線Ｂ−Ｂに同芯に形成される。Ｊは燃料噴射弁であり、その後端Ｊｂは、燃料分配管５に挿入配置される。この燃料分配管５には、図示せぬ燃料ポンプより昇圧された燃料が供給されるものでこの燃料が燃料噴射弁Ｊ内へ供給される。
【０００３】
そして、スロットルボデー１に対して燃料噴射弁Ｊは以下によって組みつけられる。まず、燃料分配管５に燃料噴射弁Ｊの後端Ｊｂをクッション部材６を介して挿入配置する。次にスロットルボデー１の円筒支持孔４Ａ内に円筒リング状のシール部材７を挿入配置する。そして、かかる状態において燃料分配管５を備える燃料噴射弁Ｊを支持孔４の長手軸芯線Ｂ−Ｂの延長線上に配置し、しかる後に前記燃料噴射弁Ｊを長手軸芯線Ｂ−Ｂに沿って支持孔４内へ挿入配置し、次いで燃料分配管５をスロットルボデー１にネジ等の固定手段をもって固定する。以上によると燃料噴射弁Ｊの先端Ｊａはシール部材７内に挿入配置され、その後端Ｊｂは燃料分配管５に挿入配置され、もって燃料噴射弁Ｊはスロットルボデー１と燃料分配管５とによって挟持されて固定される。
【０００４】
【発明が解決しようとする課題】
かかる従来のスロットルボデーによると、燃料噴射弁Ｊをスロットルボデー１へ組みつける為の作業時間が長くなり、製造コストを低減できない。すなわち、スロットルボデー１に対する絞り弁４、絞り弁４を絞り弁軸３に固定する為のネジ（図示せず）等の部品は一般的に吸気路２の長手軸芯線Ａ−Ａに沿って治具、工具を配置し、長手軸芯線Ａ−Ａの方向より組みつけられる。一方、前記燃料噴射弁Ｊにあっては、支持孔Ｂ−Ｂに沿う方向より組みつけが行なわれる。これは吸気路２の長手軸芯線Ａ−Ａに沿って燃料噴射弁Ｊを移動させた場合、燃料噴射弁Ｊの先端Ｊａがリング状のシール部材７、あるいは支持孔４に衝突するからである。以上によれは、スロットルボデー１に対する部品の組みつけ方向は、軸芯線Ａ−Ａ方向と軸芯線Ｂ−Ｂ方向との二方向から行なう必要があり、これによると、支持孔４を含むスロットルボデー１を第１位置から第２位置へ移動させるか、若しくは治具、工具を第１位置から第２位置へ移動させる必要がある。従って、第１位置から第２位置へ移動させる時間を必要とすること。及び移動させる為の移動手段を必要とすること。から製造コスト高を招来する。
【０００５】
本発明は、かかる点に鑑み成されたもので、スロットルボデー１に対する燃料噴射弁Ｊの組みつけ作業方向を吸気路２の長手軸芯線Ａ−Ａに沿って行なうことにより、燃料噴射弁の組みつけ時間を短縮し、スロットルボデーの製造コストを低減することを目的とする。
【０００６】
【課題を解決する為の手段】
本発明になる燃料噴射装置のスロットルボデーは、前記目的達成の為に、内部を吸気路が貫通するとともに該吸気路が絞り弁にて開閉されるスロットルボデーと、前記吸気路の長手軸芯線Ａ−Ａに対して角度Ｘ度をもって交差して穿設される燃料噴射弁先端支持孔と、前記燃料噴射弁先端支持孔内に挿入配置される燃料噴射弁とを備え、前記燃料噴射弁先端支持孔の大気側の開口端部に前記燃料噴射弁先端支持孔の長手軸芯線Ｂ−Ｂに対して前記角度Ｘ度以上の角度Ｙ度をもって傾斜する円錐支持孔を設け、一方、燃料噴射弁の先端に、その外側面が円錐支持孔に沿う傾斜面を有する円錐シールリングを配置し、前記燃料噴射弁を燃料噴射弁先端支持孔の長手軸芯線Ｂ−Ｂと平行に配置するとともに吸気路の長手軸芯線Ａ−Ａに沿って移動させることにより、その先端を円錐シールリングを介して燃料噴射弁先端支持孔内に挿入配置したものである。
【０００７】
【実施例】
以下、本発明になる燃料噴射装置のスロットルボデーの一実施例について図１、図２により説明する。尚、図３と同一構造部分については同一符号を使用し説明を省略する。燃料噴射弁支持孔９（以下支持孔９という）は、図３と同様に吸気路２の長手軸芯線Ａ−Ａに対してＸ度傾斜して形成される。そして先端は吸気路２内に開口し、後端は大気に開口する。そして、前記支持孔９の大気側の開口端部９Ａには円錐支持孔１０が形成される。この円錐支持孔１０は、支持孔９の長手軸芯線Ｂ−Ｂに対してＹ度傾斜する傾斜面であり、前記角度Ｙ度は前記角度Ｘ度以上の角度をなす。尚、角度Ｙ度と角度Ｘ度は等しくてもよい。
【０００８】
１１は、燃料噴射弁Ｊの円筒状の先端Ｊａの外周に装着されるリング状をなす円錐シールリングであり、その外側面は、円錐支持孔１０の傾斜部に沿う傾斜面１１Ａを成すもので、例えば、ゴム材料等の弾性材料にて形成される。
【０００９】
そして、燃料分配管５、燃料噴射弁Ｊ、スロットルボデー１は以下によって組みつけられる。第１に燃料分配管５に対して燃料噴射弁Ｊの後端Ｊｂをクッション部材６を介して装着する。更に、燃料噴射弁Ｊの先端Ｊａの外周に円錐シールリング１１が装着される。以上の如く、燃料噴射弁Ｊには、その後端Ｊｂに燃料分配管５が配置され、先端Ｊａに円錐シールリング１１が配置される。
【００１０】
第２には、燃料分配管５及び円錐シールリング１１を備えた燃料噴射弁Ｊの長手軸芯線Ｃ−Ｃを支持孔９の長手軸芯線Ｂ−Ｂと平行に配置する。この状態は図１に示される。
【００１１】
第３には、前記状態にある燃料噴射弁Ｊを吸気路２の長手軸芯線Ａ−Ａと平行に図１において左方（Ｄ方向）に向かって移動させる。以上によると、燃料噴射弁Ｊに装着される円錐シールリング１１は、支持孔９の円錐支持孔１０内に挿入して配置され、かかる状態において燃料分配管５がスロットルボデー１にステー等によってネジ締め固定される。（尚、ステーネジは図示されない。）以上述べた如く、燃料分配管５を含む燃料噴射弁５を、吸気路２の長手軸芯線Ａ−Ａに沿って左方へ移動することによって燃料噴射弁Ｊの先端Ｊａを支持孔９内に配置できるのは以下による。
（１）支持孔９の開口部９Ａに、Ｘ度以上の角度Ｙ度を有する円錐支持孔１０を形成したこと。
（２）燃料噴射弁Ｊを支持孔９の長手軸芯線Ｂ−Ｂに平行に配置し、その先端Ｊａに円錐支持孔１０に沿う傾斜面１１Ａを備える円錐シールリング１１を配置したこと。
によるものである。スロットルボデー１に燃料分配管５を含む燃料噴射弁Ｊが配置された状態は図２に示される。尚、本実施例は単一のスロットルボデーについて説明したが、スロットルボデー１が側方に複数配置される多連スロットルボデーに適用できる。
【００１２】
【発明の効果】
以上の如く、本発明になるスロットルボデーによると、スロットルボデーに吸気路の長手軸芯線Ａ−Ａに対して角度Ｘ度をもって交差して穿設される燃料噴射弁先端支持孔と、前記燃料噴射弁先端支持孔の大気側の開口端部に燃料噴射弁先端支持孔の長手軸芯線Ｂ−Ｂに対して前記角度Ｘ度以上の角度Ｙ度をもって傾斜する円錐支持孔とを設け、一方、燃料噴射弁の先端に、その外側面が円錐支持孔に沿う傾斜面を有する円錐シールリングを配置したので、前記燃料噴射弁を燃料噴射弁先端支持孔の長手軸芯線Ｂ−Ｂと平行に配置し、しかる後に吸気路の長手軸芯線Ａ−Ａに沿って移動させることにより、その先端を円錐シールリングを介して燃料噴射弁先端支持孔内に挿入配置できたものである。従って本発明によれば、燃料噴射弁のスロットルボデーに対する組みつけ方向を吸気路の長手軸芯線Ａ−Ａと同一方向とできたので、スロットルボデーの位置を変更したり、治具、工具の位置を変更する必要がなくなったもので、これによって製造コストを大きく低減できたものである。
【図面の簡単な説明】
【図１】本発明になる燃料噴射装置のスロットルボデーの一実施例を示す要部縦断面図であり、燃料分配管に燃料噴射弁及び円錐シールリングを装着した状態を示す。
【図２】図１において燃料分配管を含む燃料噴射弁がスロットルボデーに取付けられた状態を示す要部縦断面図。
【図３】従来の燃料噴射装置において燃料分配管に燃料噴射弁が装着された状態を示す要部縦断面図。
【符号の説明】
１      スロットルボデー
２      吸気路
９      燃料噴射弁先端支持孔（支持孔）
１０    円錐支持孔
１１    円錐シールリング
１１Ａ  傾斜面
Ｊ      燃料噴射弁
【図１】
0003757307.tif 000002
【図２】
0003757307.tif 000003
【図３】
0003757307.tif 000004